(57)【要約】【課題】接着剤やステッチャーなどで固定せず箱が散けないようにし、組立・解体・廃棄処理を容易にした包装用組立箱を提供する。【解決手段】底壁の周囲を、それぞれ側面板と内面板から構成される一対の側壁並びに端面壁で取り囲み、側壁の側面板の両端から延出した折り込み片を、端面壁を構成する側面板と内面板の間に挟み込んで、側壁、端面壁の起立状態を維持するようにした組立箱において、側壁の内面板の両端に係止部、端面壁の内面板の両端に突出部を設け、その突出部を側壁の内面板の両端の係止部に係止させることで二重側壁の内面板の浮きを防止し、散けない箱を提供できると共に、組立・解体・廃棄処理も容易にする。さらに、物品を出し入れし易くするため、前記側壁の一方は内面板を設けず、前記一対の端面壁は前記一方の側壁側の突出部を設けないと共に、内面板に連接した折り返し部を備え、前記折り返し部を底壁に重なるように組み立て形成する。【選択図】  図２
2008155958.tif 000002
【特許請求の範囲】
【請求項１】
底壁の周囲を、それぞれ側面板と内面板から構成される一対の側壁並びに端面壁で取り囲み、側壁の各々側面板の両端から延出した折り込み片を、端面壁を構成する側面板と内面板の間に挟み込んで、側壁、端面壁の起立状態を維持するようにした組立箱において、側壁の内面板の両端に係止部、端面壁の内面板の両端に突出部を設け、その突出部を側壁の内面板の両端の係止部に係止させることを特徴とする包装用組立箱。
【請求項２】
前記側壁の一方は内面板を設けず、前記一対の端面壁は前記一方の側壁側の突出部を設けないとともに、内面板に連接した折り返し部を備え、前記折り返し部を底壁に重なるように組み立て形成したことを特徴とする請求項１記載の包装用組立箱。
【発明の詳細な説明】
【技術分野】
【０００１】
本発明は、物品の収納、包装、運搬等に採用される組立箱に関するものである。
【背景技術】
【０００２】
従来の包装、運搬や保管などにおいて二重側壁部を備えた包装用箱は公知であり、いわゆる額縁形式の組立箱は図４の展開図及び図５の組立図に示すようなものがある。
【０００３】
例えば、図４の箱の展開図に示すように、矩形状底板１の互いに対向する各辺に、それぞれ折目ａを介して連設した一対の側板２、２、及びそれぞれ折目ｃを介して連設した一対の側板４、４と、該側板２、２の外側にそれぞれ近接する二本の平行折目ｂ1 、ｂ2 による所定幅の額縁板ｂを介して連設した内側板３、３と、該側板４、４の外側に、それぞれ近接する二本の平行折目ｄ1 、ｄ2 による所定幅の額縁板ｄを介して連設した内側板５、５とを備えている。なお前記額縁板ｂ、ｄは図示するように略同一幅である。
【０００４】
前記一対の内側板３の外側端部には、その端部に沿って両側に係合突起３ａ、３ａを備え、また前記一対の内側板５の外側端部には、その端部に沿う折目ｈを介して固定板５ａが連設されている。
【０００５】
また前記一対の側板４、４の両側には、それぞれ折目ｅを介して折り込み片６、６、６、６が連設され、前記一対の内側板５、５の両側にそれぞれ折目ｆを介して折り込み片７、７、７、７が連設されている。
【０００６】
前記各々側板４と各々内側板５、及び各々折り込み片６と各々折り込み片７とは、図４に示すように、前記額縁板ｄ（額縁板ｄの長手方向の対称軸線）に対して概略線対称形の略等しい幅に形成され、また、各々側板２と各々内側板３も同様に、前記額縁板ｂ（額縁板ｂの長手方向の対称軸線）に対して概略線対称形の略等しい幅に形成されている。
【０００７】
そして、図５（a）に示すように、前記一対の内側板５及び所定幅の額縁板ｄとその両側の折り込み片７とを、近接する二本の平行折目ｄ1 、ｄ2 のうち、折目ｄ1 を介して前記一対の側板４及びその両側の前記折り込み片６上に折り重ね、底板１上に重ね合わせられる前記一対の内側板５のそれぞれ固定板５ａ、５ａを該底板１上に接着剤にて貼着又はホッチキスなどにて接合して固定する。
【０００８】
そして、図５（ｂ）に示すように、前記一対の側板４、内側板５を、折目ｃ、ｈを介して底板１より直角に折り立てることによって、底板１、側板４、額縁板ｄ、内側板５からなる平行四辺形状の二重側壁部が形成され、また、折り重ね立ち起こされた前記各々折り込み片６、７は、それぞれ折目ｅ、ｆを介して直角に折り曲げられる。
【０００９】
その後、図５（ｃ）に示すように、前記一対の側板２を、折目ａを介して底板１に対して直角に折り立て、続いて前記一対の内側板３を、近接する二本の平行折目ｂ1 、ｂ2 を介して側板２内側の折り込み片６、７内側に折り重ね、前記内側板３をその外側端部に設けたそれぞれ係止突起３ａを、底板１の折目ａに沿って設けた係止孔８に嵌合することにより、底板１に係止する。
【００１０】
これによって底板１、側板２、額縁板ｂ、内側板３からなる平行四辺形状の対向する一対の二重側壁部と、底板１、側板４、額縁板ｄ、内側板５からなる立ち起こし及び偏平に折り畳み可能な平行四辺形状の二重側壁部とを備えた額縁付き組立箱が形成され、その容器Ａの開口部に、天面板とその対向する二辺に側面板を連接したトレー状の蓋材Ｃ又はプレート状の蓋材Ｃを被せることによって施蓋する。
【特許文献１】特開２０００‐７９９３８号公報
【発明の開示】
【発明が解決しようとする課題】
【００１１】
上記特許文献１所載の額縁付き簡易組立箱は、内側板５に連設されている固定板５ａ、５ａを接着剤で貼着又はステッチャーなどの金属で底板１に接合して固定し、二重側壁部を構成する内側板５が浮き上がって箱が散けないように配慮して製造されている。しかし、接着部品で接合する組立作業の時間は掛かってしまう。
【００１２】
また、近年、環境保護の見地から、廃棄時の環境問題への対応は必要不可欠になっているが、ステッチャーを用いる場合には解体するのに金属部品を取りはずし、分別して廃棄する必要があるため解体・廃棄処理の時間も掛かってしまう。
【００１３】
さらに、従来の箱の構造では、物品を収納する時に箱が散けてしまわないように箱の形状が固定されているので上から物品を出し入れするしかなかった。しかし、ランプなどは物品への衝撃を軽減するために隙間を作らないように収納される。このため、収納時に物品を持つ横手が入らず出し入れしにくいものであった。
【００１４】
そこで、本発明は、かかる従来技術の問題点を解決するべくなされたもので、接着剤やステッチャーなどで固定せず、箱が散けないようにした構造であって、組立・解体・廃棄処理を容易にした包装用組立箱を提供することを目的とするものである。また、作業性を良くするために容器の片側を開閉させ、物品を出し入れし易くする。
【課題を解決するための手段】
【００１５】
そして、本発明は上記目的を達成するために底壁の周囲を、それぞれ側面板と内面板から構成される一対の側壁並びに端面壁で取り囲み、側壁の側面板の各々両端から延出した折り込み片を、端面壁を構成する側面板と内面板の間に挟み込んで、側壁、端面壁の起立状態を維持するようにした組立箱において、側壁の内面板の両端に係止部、端面壁の内面板の両端に突出部を設け、その突出部を側壁の内面板の両端の係止部に係止させる構造を持つ。
【００１６】
また、第２の課題解決手段は前記側壁の一方は内面板を設けず、前記一対の端面壁は前記一方の側壁側の突出部を設けないとともに、内面板に連接した折り返し部を備え、前記折り返し部を底壁に重なるように組み立て形成するものである。
【００１７】
上記第１の課題解決手段による作用は、二重側壁となる側壁の内面板の両端に係止部が設けられており、そこに端面壁の内面板に連設された突出部を係止させることにより、二重側壁の内面板の浮きを抑えることができ箱を散けないようにできる。
【００１８】
また、第２の課題解決手段による作用は次の通りである。容器の片側を係止せずに起立状態で側壁を開閉させ、物品の出し入れをすることができる。この時、端面壁の内面板に連接した折り返し部を底壁に重なるように折り曲げることにより、前記折り返し部が端面壁の内面板の浮きを押止し箱を散けないようにできる。
【発明の効果】
【００１９】
以上の如く、本発明に係る包装用組立箱によれば、接着剤で貼着又はステッチャーなどの金属で箱を固定せず、箱が散けるのを防止し、組立・解体・廃棄処理を容易にした包装用組立箱を提供できる。
【００２０】
また、容器の片側を係止せずに起立状態で側壁を開閉させ、物品の出し入れをすることができるため、さらに作業性を良くするものである。
【発明を実施するための最良の形態】
【００２１】
以下、添付図面を参照しつつ、本発明を実施するための最良の形態について説明する。
【００２２】
本発明は蓋材と容器からなる包装用組立箱であって、図１は、本実施形態における包装用組立箱の蓋材の展開図である。本実施形態に係る包装用組立箱の蓋材は、図１に示すように、底壁1の周囲にそれぞれ折目ａを介して連接した一対の側面板２、２、及びそれぞれ折目ｃを介して連接した一対の側面板４、４で取り囲み、該側面板２、２の外側にそれぞれ折目bを介して連接した内面板３、３と、該側面板４、４の外側にそれぞれ折目ｄを介して連接した内面板５、５とを備えている。
【００２３】
前記一対の側面板２、２の外側端部には、それぞれ端部に沿って折目ｅを介して両側に折りこみ片６、６、６、６を備え、また前記一対の内面板５、５の外側端部には、それぞれ端部に沿って折目ｆを介して三角形状の突出部５ａ、５ｂ、５ｃ、５ｄが連接されている。
【００２４】
また前記一対の内面板３、３の両端部には係止部２１、２１、２１、２１が設けられている。
【００２５】
蓋材の組立に際しては、底壁1からそれぞれ折目ａに沿って側面板２、２を起立させ、それぞれ折目ｂに沿って内面板３、３を山折りし内側へ折り曲げる。端面壁Ｂを構成する側面板４、４をそれぞれ折目ｃに沿って起立させ、内面板５、５をそれぞれ折目ｄに沿って山折りして内側に折り曲げ、一対の側面板２、２から延出した折りこみ片６、６、６、６を、側面板４、４と内面板５、５との間に挟み込む。
【００２６】
そして、図３（イ）に示すように、側壁Ａの内面板３、３に設けられたそれぞれ係止部２１、２１、２１、２１に、端面壁Ｂを構成する内面板５、５の両端に連接された三角形状の突出部５ａ、５ｂ、５ｃ、５ｄを、谷折りし、外側に折り曲げ嵌め込むことで係止させる。これにより、側壁Ａ、および端面壁Ｂの内面板の浮きを防止でき、箱を散けないようにすることができる。
【００２７】
図２は、本実施形態に係る包装用組立箱の容器の展開図である。図1とほぼ同じ構造を持つが、前記側壁Ａの一方は側面板２２のみで構成される。
【００２８】
この理由は次の通りである。従来の箱の構造では、物品を収納する時に箱が散けてしまわないようにステッチャーなどを用いて箱の形状が固定されているため、今までは上から物品を出し入れしていた。しかし、例えばランプを箱から出し入れする場合はランプ保持部材Cの上にランプを並べ、さらに、それら複数のランプは何段にも重ねた状態で箱から出し入れするのが一般的であるが、箱の寸法は衝撃を軽減するためにランプの寸法とほぼ等しくしてあり、収納時、ランプをもつ両手が箱に入らず、ランプが箱に入るぎりぎりのところで手を放すか、もしくは一本ずつランプを収納していくなど作業性は悪かった。そこで、容器の片壁を開閉できるようにし、物品を横から滑らせて収納できるようにする。しかし、このようにすると物品を収納する間、従来であれば側壁はステッチャーなどにて固定されていたので箱が散ける心配はなかったが、本願発明では、もしもどちらか一方の側面板を外側に倒して片側を開いた状態にすると、突出部が係止部で係止される力が弱まり、係止部がはずれやすくなり、そのため二重側壁の内面板が浮き、箱も散けやすくなる。特に、箱の幅が長い方よりも狭い方の内面板が浮きやすくなってしまう。
【００２９】
そこで、内面板が浮くことなく容器の壁が開くような構成にするため、本実施形態に係る包装用組立箱の蓋材は、図２に示すように、折目ａを介して連接した一対の側面板２、２２及びそれぞれ折目ｃを介して連接した一対の側面板４、４で取り囲み、該側面板２の外側に折目bを介して連接した内面板３と、該側面板４、４の外側にそれぞれ折目ｄを介して連接した内面板５、５と、それぞれ折目gを介して連接した折り返し部２３、２３とを備えている。
【００３０】
前記一対の側面板２、２２の外側端部には、それぞれ端部に沿って折り目ｅを介して両側に折りこみ片６、６、６、６を備え、前記一対の内面板５、５の片側外端部には、それぞれ端部に沿って折目ｆを介して三角形状の突出部５ａ、５ｂが連接されている。
【００３１】
また、前記内面板３の両端部は係止部２１、２１が設けられている。
【００３２】
容器の組立に際しては、底壁1からそれぞれ折目ａに沿って側面板２、２２を起立させ、折目ｂに沿って内面板３を山折りし内側へ折り曲げる。端面壁Ｂを構成する側面板４、４をそれぞれ折目ｃに沿って起立させ、内面板５、５をそれぞれ折目ｄに沿って山折りして内側に折り曲げ、一対の側面板２、２２から延出した折りこみ片６、６、６、６を、側面板４、４と内面板５、５との間に挟み込むとともに、それぞれ折目ｇに沿って折り返し部２３、２３を底壁1に重なるように折り曲げる。二重側壁の内面板３のそれぞれ係止部に、端面壁Ｂを構成する内面板５、５の片端に連接された三角形状の突出部５ａ、５ｂを、谷折りし、外側に折り曲げ嵌めこむ。
【００３３】
そして、図３（ロ）に示すように、側面板２２から延出した折りこみ片６、６を、それぞれ端面壁Ｂを構成する側面板４と内面板５の間から抜差して開閉させ、横から滑らせて物品を出し入れできるようにする。この時、端面壁Ｂの内面板５、５に連接した折り返し部２３、２３を底壁１に重なるように折り曲げているので、これにより、前記折り返し部２３、２３が内面板５、５を押止する効果を得ることができ、内面板を浮きにくくし、箱が散けないようにすることができる。
【００３４】
なお、図１、図２に示す構造は、蓋材、および容器と限定されるものではない。つまり、上下同じ構造にしてもよい。
【００３５】
また、図１、図２に示す係止部、および突出部の形状は上記実施形態に限定されるものではなく、本発明の要旨を逸脱しない範囲内において種々変更を加え得ることは勿論である。
【産業上の利用可能性】
【００３６】
本発明に係る包装用組立箱は、二重側壁を構成する内側板が接着剤で貼着又はステッチャーなどにて底板に接合して固定しなくとも、二重側壁の内面板の浮きを防止することが可能になり、箱が散けない。さらに、容器の片側壁を開閉自在としたため、箱の寸法とほぼ等しい物品の出し入れもし易くなる。このため、組立・解体・廃棄処理を容易とした、物品の収納、包装、運搬等に採用される組立箱として有用である。
【図面の簡単な説明】
【００３７】
【図１】本発明の第１実施形態における包装用組立箱の蓋材の展開図
【図２】本発明の第１実施形態における包装用組立箱の容器の展開図
【図３】（イ）包装用組立箱の、係止部分の拡大図（ロ）包装用組立箱から物品を出し入れする状態を示す図
【図４】従来の額縁付き簡易組立箱の展開図
【図５】（ａ）〜（ｃ）は従来の額縁付き簡易組立箱の組立順序を示す斜視図
【符号の説明】
【００３８】
１  底壁
Ａ  側壁
Ｂ  端面壁
Ｃ  ランプ保持材
２、４、２２  側面板
３、５  内面板
６  折り込み片
２１  係止部
２３  折り返し部
５ａ、５ｂ、５ｃ、５ｄ  突起部
ａ〜ｇ  折目
【図１】
2008155958.tif 000003
【図２】
2008155958.tif 000004
【図３】
2008155958.tif 000005
【図４】
2008155958.tif 000006
【図５】
2008155958.tif 000007